(57)【特許請求の範囲】
【請求項１】
ガラリ状の通風雨具であって、横長帯状の各ルーバーは屋外側から室内側に向けて高くなる傾斜形状をなし、前記ルーバーの断面は室外側一端が室内側に向けて斜め上方に直線上に形成され、それに連続して平面部を有し、平面部に連続して室内側の他端に、上方向に略逆し字状となる湾曲部を有し、その湾曲部の末端はルーバーの平面部と平行とし、前記ルーバーの湾曲部の末端からさらに上方の奥行寸法の中央付近に前記と同じ上方向に略逆し字状となる湾曲部を有し、同じくその湾曲部の末端はルーバーの平面部と平行とし、前記ルーバーの湾曲部の末端からさらに上方に前記と同じ上方向に略逆し字状となる湾曲部を有し、湾曲部の末端はルーバーの平面部と平行とし、略逆し字状となる湾曲部を複数段重ねた形状とし、各、ルーバーの平面部は平行設置されていることを特徴とする通風用薄型ガラリ
【発明の詳細な説明】
【技術分野】
【０００１】
本発明は、窓に取り付ける通風用ガラリに関するものである。
【背景技術】
【０００２】
窓に後付けするガラリ戸で、雨戸や格子・シャッター付きの窓では、網戸と雨戸や格子・シャッター間の寸法との兼ね合いで取り付けできない場合もあるし、マンションなどの高層部での取り付け作業は容易ではない等の、問題がある。
【先行技術文献】
【特許文献】
【０００３】
【特許文献１】特許公開番号２００６−２０７２５０
【特許文献２】特許公開番号２００２−１６８０６３
【発明の概要】
【発明が解決しようとする課題】
【０００４】
しかしながら、上記特許文献１・２に記載されたような吹き上げられた雨水が衝突し一時滞留する部分を設けたガラリでは、ガラリ自体の奥行寸法も長くなるため、網戸の室外側に雨戸や格子・シャッターが取り付いた窓では、網戸との間隔が狭く網戸より室内側にガラリ窓を装着するにも、ガラス窓の枠の厚み分相当の寸法しか取れず、室内外側とも極端に狭い寸法の制約があるため、雨戸や格子の付いた既存の窓への設置は難しい。
【０００５】
解決しようとする問題点は、室内外側とも寸法に制約があり狭いため、網戸の室外側にシャッター等の無い窓に取り付けるガラリと比べると、ルーバーの取り付け角度は同じでも、ガラリの奥行寸法は半分以下、この２種類を比較するとガラリの奥行寸法の長い方図１は、風雨時風の力でルーバー上面を雨水が吹き上がるのですがルーバーの傾斜距離も長く、ルーバー上端手前では、雨水の勢いが止まり上端より室内側には雨水が侵入しにくく、ガラリの奥行寸法の半分以下の短い方図２では、風雨時風の力でルーバー上端まで雨水は勢いよく吹き上がり、簡単に室内側へと降り込むため、ガラリの奥行寸法の短い方図２は、ルーバーが雨水の降り込みを防ぐ効果が非常に弱く、効果を高めるためルーバーの取り付け角度を垂直に近い方へ向けると、雨水の降り込みを防ぐ効果は大きくできるが、通風量は極端に減少するという課題がある。
【０００６】
ルーバーの上端に逆流防止板を設ける図３では、ガラリの奥行寸法が短いため、ガラリ上下の間隔は狭くなり、ガラリの数量も倍増し、しかも逆流防止板の高さ分、通風面積が減り通風量も減少し、逆流防止板の高さを低くすると、通風面積は増え通風量も増えるが、降雨量が多いと雨水の降り込みが発生するという課題がある。
【０００７】
本発明の目的は、強風雨時にも室内に雨水の吹き込みを防ぐ、奥行の薄いガラリを提供することである。
【課題を解決するための手段】
【０００８】
ルーバーの奥行寸法を図２のように短くすると、ルーバーが雨水の降り込みを防ぐ目的が弱まり、図３のルーバー上端部に逆流防止板を設けると、各ルーバー間の間隔も狭く通風面積も減るため、ルーバーの逆流防止板の湾曲を小さくして逆流防止板を複数に分けた形状とし、中央付近とルーバー上端部に分けた図４の、逆流防止板を２ヶ所に分けた例で説明すると、ルーバーの奥行寸法の中央部分にルーバーの上端部を略逆し字状に湾曲した逆流防止板を二段に重ねた形状にすることで、風雨でルーバー上を吹き上げられ逆流する雨水を、ルーバー中央付近の逆流防止板で１８０度反転することで、反転した雨水の流れと、ルーバー面を下から吹き上げられ逆流する雨水とがぶつかり、力が相殺され中央付近の小さな逆流防止板で防ぐことができ、図５では雨量が多くなると中央部分の逆流防止板を越えた一部の雨水がルーバー上端部まで逆流するが、中央の逆流防止板で多くは向きを変えているため、勢いも弱くルーバー上端部の小さな逆流防止板でも十分に防ぐことが出来き、ルーバーの下側から中央付近間に降り込む雨水の量と、ルーバー中央付近からルーバー上端部間に降り込む雨水の量との差は、比較にならないぐらい上側の方が少ないのは、いま説明しているルーバーの上方にもルーバーがあり、上方のルーバーの軒の影になるため降り込む雨水の量は少なく、ルーバーの下側から吹き上げられる雨水と中央付近の逆流防止板で１８０度反転した流れとで相殺され、雨水を複数段階の逆流防止板で防ぐため逆流防止板の高さとなる湾曲部を直径約６ｍｍ前後と低く抑えることができ、その結果、ルーバー間の通風面積が広くなり、通風量も確保しつつ雨水の降り込みを防ぎ、図１１‐Bルーバーの取り付け角度約48度から６０度でガラリ全体の奥行幅図１１‐A約20ミリメートルから３０ミリメートルと薄くできたことを特徴とする。
【発明の効果】
【０００９】
雨水の逆流防止板を複数重ねた形状のルーバーにより、ガラリの奥行寸法を短くできたことで、窓の網戸より室外側の格子や雨戸・シャッターの付いた窓や、網戸より室内側にも取り付けることができる。
【図面の簡単な説明】
【００１０】
【図１】網戸の外側に寸法上の制約がない場合のルーバーを横から見た図（図の左側が室外側・右側が室内側）で、風雨時風でルーバー上面を雨水が吹き上げられるが、ルーバーの傾斜距離が長いため室内側には雨水が侵入しにくい。
【図２】ガラリ取り付け位置に寸法上の制約があるため図１に比べルーバーの傾斜距離が半分以下のルーバーを横から見た図（図の左側が室外側・右側が室内側）で、ルーバーの傾斜距離が短いため雨水の速度はあまり衰えず室内側に雨水が簡単に侵入する。
【図３】ルーバーを横から見た図（図の左側が室外側・右側が室内側）で、ルーバーの上部を湾曲させて雨水の流れる方向を反転しているが、逆流防止板と上部のルーバー間の間隔が狭く通風量が少ない。
【図４】ルーバーを横から見た図（図の左側が室外側・右側が室内側）で、逆流防止板を低くし、複数に分け、通風面積を広くした。
【図５】ルーバーを横から見た図（図の左側が室外側・右側が室内側）で、図４より風雨がさらに強くなった図。
【図６】ルーバーを横から見た図（図の左側が室外側・右側が室内側）で、逆流防止板を３枚設けたルーバーの図。
【図７】窓を斜視した図（図の左側が室内側・右側が室外側）で、逆流防止板付きルーバーを組み込んだ、ガラリ窓の設置位置を表す図。
【図８】窓を斜視した図（図の左側が室内側・右側が室外側）で、ガラリ窓の使用時の位置を表す図。
【図９】窓を斜視した図（図の左側が室内側・右側が室外側）で、ガラリ窓専用のレールを設置した時のレールと各窓の位置構成を表した図。
【図１０】窓を斜視した図（図の左側が室内側・右側が室外側）で、ガラリ窓専用のレールにガラリ窓としての使用位置を表した図。
【図１１】ガラリ窓の側面図（図の左側が室外側・右側が室内側）
【発明を実施するための形態】
【００１１】
既存の引き違いサッシ窓で、ガラス窓は室内側・室外側・網戸で構成されている。窓のガラス窓を閉じているときも開けている時もサッシ窓の窓枠のガラス窓用のレールは２本で通常は室内側のガラス窓は開けるとき・閉めるときに左右に動いているが、室外側のガラス窓は通常はその場所から動かないので、その遊んでいるレールにガラス窓の枠と同寸法で、横幅だけがガラス窓の約半分のガラリ窓を車輪等介して室外側のガラス窓のレール上に、スムーズに動くように組み込むことで、わずか数センチのガラス窓の厚み幅にでき、今まで通りにガラス窓の施錠も出来る。春から梅雨・夏から秋と天候に左右されず室内を通風でき、急な夕立等で室内を濡らすこともなく、夏の締め切った部屋のむぅとした不快感も少なく、電力不足の今にふさわしい発明である。
【実施例】
【００１２】
ガラス窓枠と同当の寸法、レール部も同当の形状のガラリ窓専用の窓枠を設けるが、ガラリ窓枠の横寸法だけは、ガラス窓枠の約半分にし、ガラリ窓の枠にルーバーを組み込んだガラリ窓を、網戸のすぐ内側にあるガラス窓のレール、又は、その手前の室内側のガラス窓のレールを利用して取り付けることで、就寝中の急な雨でも室内を濡らすことはなく、通風も確保でき、ガラリ窓も横移動で出来るため物の出し入れや子供の出は入りができ、窓のガラス窓の最も室内側のガラス窓のレールに取り付けることも可能で、防犯や暴風雨時は通常通りに窓を締めることもでき安心であり、マンションの高層階でも室内側から既存の窓のガラス窓のレールに取り付けることができるため取り付け作業時の安全性も高い。
【産業上の利用可能性】
【００１３】
病院など特に介護施設では、入居者が温度変化に順応しにくいため、夏場のエアコンは極力控えるなど、急な夕立で患者が廊下等の濡れによる転倒等の二次災害を防ぐために、職員が慌てて窓を閉めて回っているが、本発明を取り付けることで慌てずに、入居者の世話に集中が出来るし、倉庫や畜舎等常に換気が必要なところでは、天気の急変に関係なく仕事ができる。
【００１４】
引き違いサッシ窓に、ガラス窓は室内側・室外側・雨の降り込まないガラリ窓・網戸で構成する窓全体の枠を新たに作り、窓のガラス窓を開閉どの位置でも普通の窓として使え、窓からの出入り・室内の換気も、雨の降り込まないガラリ窓専用レールを１本新たに追加した引き違いサッシ窓を提案する。
【符号の説明】
【００１５】
１・降雨
２・吹き上げられる降雨
３‐１・吹き上る雨水
３‐２・吹き上がり上端に達した雨水
３‐２‐１・室内へ降り込む雨水
３‐３・逆流防止板で流れる方向を変えた雨水
３‐４・ルーバー中央付近の小型の逆雨防止板で流れる方向を変えた雨水
３‐５・ルーバー上端部の小型の逆雨防止板で流れる方向を変えた雨水
４‐１・奥行寸法の長いルーバー
４‐２・奥行寸法の短いルーバー
４‐３・逆流防止板付ルーバー
４‐４・ルーバー中央付近の小型の逆雨防止板
４‐５・ルーバー上端部の小型の逆雨防止板
２１・網戸
２２・室外側のガラス窓
２３・室内側のガラス窓
２４・ハーフサイズのガラリ窓
２５・網戸用レール
２６．室外側のガラス窓用レール
２７・室内側のガラス窓用レール
２８・ガラリ窓用レール
２９・フルサイズのガラリ窓
A・ガラリの奥行寸法
B・ルーバーの傾斜角
【要約】      （修正有）【課題】強風雨時にも室内に雨水の吹き込みを防ぐ、奥行の薄い通風用薄型ガラリを提供する。【解決手段】ガラス窓のレールを利用し取り付けて用いる通風用薄型ガラリであって、横長帯状の各ルーバーは、屋外側から室内側に向けて高くなる傾斜形状をなし、ルーバーの断面は、上下中央付近が上方向に略逆し字状となる湾曲部４−４を有し、湾曲部４−４の先端からさらに略逆し字状となる湾曲部４−５を有す形状が、複数段重ね合わされている。【選択図】図４【図１】
0005845495.tif 000002
【図２】
0005845495.tif 000003
【図３】
0005845495.tif 000004
【図４】
0005845495.tif 000005
【図５】
0005845495.tif 000006
【図６】
0005845495.tif 000007
【図７】
0005845495.tif 000008
【図８】
0005845495.tif 000009
【図９】
0005845495.tif 000010
【図１０】
0005845495.tif 000011
【図１１】
0005845495.tif 000012